【手続補正書】
【提出日】平成20年1月29日(2008.1.29)
【手続補正１】
【補正対象書類名】特許請求の範囲
【補正対象項目名】全文
【補正方法】変更
【補正の内容】
【特許請求の範囲】
【請求項１】
ａ）パルス単色光を放射する処理光源と；
ｂ）前記光を標的へ方向付けるガイドチューブと；そして、
ｃ）前記ユニットのディスタルエンドを介して前記標的へ前記光を投下させる拡散ユニットと；
を有しており、
前記光に対して透過的である拡散的透過エレメント少なくとも１つを含む前記拡散ユニットが、実質的に平面なディスタルエンドを有し、そして、ガイドチューブへ取り付け可能であることによって、標的の外側表面と実質的に接触する予め決定した位置で、前記ディスタルエンドが配置可能である、
単色光源で処理するシステムであって、
拡散的透過エレメントが、前記拡散ユニットの内部に配置されるか、又は、拡散ユニットのディスタルエンド上に配置され、
ここで、前記位置の前記ディスタルエンドから放射される光のエネルギー密度は、０．０１〜２０００Ｊ／ｃｍ２の範囲であるものとし；
前記単色光のパルス持続時間は、１ｎ秒〜１５００ｍ秒の範囲内であるものとし；そして、
前記ディスタルエンドから放射される光のラジアンスが、
１０＊ｋ１＊ｋ２＊（ｔ∧１／３）Ｊ／ｃｍ２／ｓｒ
［式中、ｔは、前記光のパルス持続時間（秒）であり、４００〜７００ｎｍの波長に対してｋ１＝ｋ２＝１であり、約７５０ｎｍの波長に対してｋ１＝１．２５及びｋ２＝１であり、約８１０ｎｍの波長に対してｋ１＝１．６及びｋ２＝１であり、約９４０ｎｍの波長に対してｋ１＝３及びｋ２＝１であり、そして１０６０〜１４００ｎｍの波長に対してｋ１＝５及びｋ２＝１である］
未満の眼に安全なレベルであるものとする；
ことを特徴とする前記システム。
【請求項２】
ガイドチューブが、単色光源と相当する回路とを含む、請求項１に記載のシステム。
【請求項３】
ガイドチューブへ光を供給する光デリバリー手段を更に含み、前記光デリバリー手段が、関節腕、光ファイバー、円錐形反射材、レンズ、光ガイド、マイクロレンズのアレイ、角度ビーム・エキスパンダー、凸面鏡、凹面鏡、１つ以上の移動可能な反射材、及びそれらの組み合わせからなる群から選択される、請求項１に記載のシステム。
【請求項４】
標的が皮膚標的である、請求項１〜３のいずれか一項に記載のシステム。
【請求項５】
拡散的透過エレメントが、拡散表面である近位の表面と、遠位の表面とを有する、請求項１〜３のいずれか一項に記載のシステム。
【請求項６】
ディスタルエンドが配置される位置が、ディスタルエンドから放射される光ビームの直径の１／１０よりも短い距離によって、標的から間隔を設ける、請求項１〜３のいずれか一項に記載のシステム。
【請求項７】
ディスタルエンドが配置される位置が、ディスタルエンドから放射される光ビームの直径の５０％よりも短い距離に相当する距離によって、標的から間隔を設ける、請求項１〜３のいずれか一項に記載のシステム。
【請求項８】
単色光が、コリメートされたレーザービーム、収束レーザービーム、集中させた複数のレーザービーム、光ファイバーで案内されるレーザービーム、コヒーレント及び非コヒーレント強パルス光、並びに発光ダイオードからなる群から選択される、請求項１〜３のいずれか一項に記載のシステム。
【請求項９】
単色光源が、
約３００〜１６００ｎｍの波長で操作されるパルスダイオードレーザー；
約１０６４又は１３２０ｎｍの波長で操作されるパルス色素レーザー、パルスアレキサンドライトレーザー、パルスルビーレーザー、及びパルスＮｄ：ＹＡＧレーザー；
パルスＫＴＰレーザー；
約１４４０ｎｍの波長で操作されるパルスエキシマーレーザー、色素レーザー、及びＮｄ：ＹＡＧレーザー；
８１０〜８３０ｎｍ、約９４０ｎｍ、及び、約１４５０ｎｍの波長で操作される周波数重複Ｎｄ：ＹＡＧレーザー、ルビーレーザー、アレキサンドライトレーザー、ダイオードレーザー（ダイオードを含む）；
ダイオードレーザーのスタック、パルスＬＩＣＡＦレーザー、パルスＥｒ：Ｇｌａｓｓレーザー、パルスＥｒ：ＹＡＧレーザー、パルスＥｒ：ＹＳＧＧレーザー、ＣＯ２レーザー、同位体ＣＯ２レーザー、及びパルスホルミウムレーザー；
のレーザーユニットからなる群から選択される、請求項１〜３のいずれか一項に記載のシステム。
【請求項１０】
単色光源が非コヒーレントパルス発光ダイオードである、請求項１〜３のいずれか一項に記載のシステム。
【請求項１１】
単色光が、３００〜１６００ｎｍの波長を有する、請求項１〜３のいずれか一項に記載のシステム。
【請求項１２】
美容的用途及び医学的用途に適当である、請求項１〜３のいずれか一項に記載のシステム。
【請求項１３】
工業的用途及び材料の表面処理に適当である、請求項１〜３のいずれか一項に記載のシステム。
【請求項１４】
皮膚標的上に集められる水又は冷却ゲルが、拡散的透過エレメントの遠位の表面上にも集められる、請求項５に記載のシステム。
【請求項１５】
脱毛、顔又は脚に位置する血管の凝固、酒さの治療、入れ墨の除去、皮膚内の色素性病変の除去、皮膚の若返り処理、乾癬の治療、ざ瘡の治療、ヘルペスの治療、光吸収（ポートワイン母斑血管、毛細血管拡張症血管、蜘蛛状静脈、脂肪性病変、及び、組織中に存在するシアニングリーン又はポルフェリンによる）、スキン・リサーフェシング、皮膚の蒸化、コラーゲン収縮、歯科的用途、歯ぐきからの色素の除去、歯の白色化、皮膚科学、婦人科学、足病学、泌尿器科学、並びに、痛みの軽減に適当である、請求項４、１２、又は、１４に記載のシステム。
【請求項１６】
透明なプラスチック材料のレーザー溶接に適当である、請求項１３に記載のシステム。
【請求項１７】
レーザーアニーリング、塗料及びインク着色の蒸発、金属製コンダクター蒸化、並びに、ビルディング、石、アンティーク彫刻、及び陶磁器のクリーニングに適当である、請求項１３に記載のシステム。
【請求項１８】
ディスタルエンドが、１〜４０ｍｍの直径を有する、請求項１〜３のいずれか一項に記載のシステム。
【請求項１９】
それぞれの拡散的透過エレメントの材料が、シリカ、ガラス、サファイア、ダイアモンド、非吸収性ポリマー、光拡散ポリマー、ポリカーボネート、アクリル系誘導体、高密度に詰め込まれた繊維、ＮａＣｌ、ＣａＦ２、ガラス、ＺｎＳｅ、及びＢａＦ２からなる群から選択される、請求項１〜３のいずれか一項に記載のシステム。
【請求項２０】
拡散ユニットが、拡散的透過エレメントと離れている透明な透過エレメントを更に有しており、前記の拡散的透過エレメント及び透明な透過エレメントは、互いに平行であり、且つ前記拡散ユニットの縦軸に対して垂直である、請求項１、２、３、又は１４の記載のシステム。
【請求項２１】
透明な透過エレメントが、ガラス、サファイア、透過性ポリマー（ポリカーボネート及びアクリル系誘導体を含む）、ＢａＦ２、ＮａＣｌ、及びＺｎＦ２からなる群から選択される材料から製造される、請求項２０に記載のシステム。
【請求項２２】
拡散的透過エレメント及び透明な透過エレメントの近位の表面間の距離が、２ｍｍ未満である、請求項２０に記載のシステム。
【請求項２３】
それぞれの拡散的透過エレメントが、それらに不規則に分布する複数の凹凸を有する、請求項１〜３のいずれか一項に記載のシステム。
【請求項２４】
拡散的透過エレメントが、回折パターンによって、又は、不規則に分布する細い繊維のアレイによって形成される、請求項１〜３のいずれか一項に記載のシステム。
【請求項２５】
拡散ユニットが、ホログラフィック拡散体を含む、請求項１〜３のいずれか一項に記載のシステム。
【請求項２６】
拡散ユニットが、反射及び／又は屈折光学エレメントを更に含む、請求項１〜３のいずれか一項に記載のシステム。
【請求項２７】
拡散的透過エレメントが、反射性又は屈折性である、請求項１〜３のいずれか一項に記載のシステム。
【請求項２８】
拡散ユニットが、少なくとも１つの光ガイドを更に含む、請求項１〜３のいずれか一項に記載のシステム。
【請求項２９】
光ガイドが、固形ガラス、サファイア、プラスチック、及び液体誘電体材料からなる群から選択される材料から製造される、請求項２８に記載のシステム。
【請求項３０】
光ガイドが中空である、請求項２８に記載のシステム。
【請求項３１】
請求項１〜３０のいずれかに記載のシステムに加えて、スキャナを更に含む装置。
【請求項３２】
請求項１〜３０のいずれかに記載のシステムに加えて、皮膚冷却手段を更に含む装置。
【請求項３３】
皮膚冷却手段に関して、皮膚温度を調節する手段を更に含む、請求項３２に記載の装置。
【請求項３４】
請求項１〜３０のいずれかに記載のシステムに加えて、ディスタルエンドから放射される光のラジアンスを測定する手段を更に含む装置。
【請求項３５】
ラジアンスを測定している手段と連絡しており、ディスタルエンドから放射される光のラジアンスが予め決定した安全値よりも大きい場合に、事故の発生としての警告又は光源の停止を生じさせる制御回路を更に含む、請求項３４に記載の装置。
【請求項３６】
請求項１〜３０のいずれかに記載のシステムに加えて、ディスタルエンドから放射される光のエネルギー密度を設定する手段を更に含む装置。
【請求項３７】
請求項１〜３０のいずれかに記載のシステムに加えて、拡散的透過エレメントを冷却する手段と、患者の皮膚表面からの血管又は標的のサイズ及び深さによって、パルス持続時間を制御する手段と、標的と実質的に接触する予め決定した位置で、ディスタルエンドを配置する手段と、そして、第１標的の近辺から第２標的の近辺へ前記コンポーネントのいずれかを移動させる手段と、からなる群から選択されるコンポーネント少なくとも１つを更に含む装置。
【請求項３８】
ａ）請求項１〜１１、１３、１６〜３０のいずれかに記載のシステム、又は、請求項３１、３２、及び、３４〜３７のいずれかに記載の装置を準備し；
ｂ）拡散ユニットをガイドチューブへ取り付け；
ｃ）溶接材料を標的へ付与し；
ｄ）標的と実質的に接触する予め決定した位置で、拡散ユニットのディスタルエンドを配置し；
ｅ）スペクトル特性、サイズ、上側表面からの深さを含む、溶接されるべき要素の特性によって、ディスタルエンドから出る単色光のエネルギー密度とパルス持続時間とを設定し；そして、
ｆ）要素を溶接するのに十分な時間で光源を発射する；
ことを含むレーザー溶接方法。
【請求項３９】
ａ）請求項１〜１１、１３、１６〜３０のいずれかに記載のシステム、又は請求項３１、３２、及び３４〜３７のいずれかに記載の装置を準備し；
ｂ）拡散ユニットをガイドチューブへ取り付け；
ｃ）塗料及びインク着色、金属コーティング、ビルディング、石、アンティーク彫刻、並びに、陶磁器からなる群から選択される標的と実質的に接触する予め決定した位置で、拡散ユニットのディスタルエンドを配置し；
ｄ）標的を剥離するのに十分な時間で光源を発射する；
ことを含む材料の表面処理方法。
【請求項４０】
単色光のエネルギー密度が、約２０００Ｊ／ｃｍ２である、請求項３８又は３９に記載の方法。